(57)【要約】【課題】  外気導入パネル組立体、空調室内機及び空気調和機を提供することを課題とする。【解決手段】  本発明は、外気導入パネル組立体、空調室内機及び空気調和機を開示する。前記外気導入パネル組立体は、吹出し構造が設けられた外気導入パネルと、表面に前記外気導入パネルが取り付けられる取付板とを含む、前記取付板には貫通する通気口が設けられ、前記通気口は前記吹出し構造に対応して配置される。【選択図】  図５
2021517629.tif 000002
【特許請求の範囲】
【請求項１】
吹出し構造が設けられた外気導入パネルと、
表面に前記外気導入パネルが取り付けられる取付板と、を含み、
前記取付板には、前記取付板を貫通する通気口が設けられ、前記通気口は前記吹出し構造に対応して配置される、
外気導入パネル組立体。
【請求項２】
前記外気導入パネルは、前記取付板の外表面に取り付けられる、請求項１に記載の外気導入パネル組立体。
【請求項３】
前記取付板は、基板と、前記基板の外表面に設けられた装飾側板とを含み、前記通気口が前記基板に設けられ、前記外気導入パネルが前記基板の外表面に設けられ、かつ前記外気導入パネルが前記装飾側板の内側に位置する、請求項２に記載の外気導入パネル組立体。
【請求項４】
前記装飾側板は、基板のエッジに設けられる、請求項３に記載の外気導入パネル組立体。
【請求項５】
前記外気導入パネルの側縁は、装飾側板に近接して配置される、請求項３に記載の外気導入パネル組立体。
【請求項６】
前記外気導入パネルと取付板とは、スナップフィット構造により結合されている、請求項１に記載の外気導入パネル組立体。
【請求項７】
前記外気導入パネルの内側面には係止突起が設けられ、前記取付板には係止穴が設けられ、前記係止突起は前記係止穴に係合される、請求項６に記載の外気導入パネル組立体。
【請求項８】
前記係止突起は、前記外気導入パネルの内表面に突設された連結突起と、前記連結突起から横方向に突設された位置制限突起とを含み、前記位置制限突起は前記外気導入パネルと対向して設けられ、前記連結突起と、前記位置制限突起と、前記外気導入パネルとでラッチ溝が画定され、
前記係止穴の内側壁にはラッチ突起が突設され、前記ラッチ突起と前記係止穴の内側壁との間には取付隙間が形成され、前記ラッチ突起は前記ラッチ溝に係合される、請求項７に記載の外気導入パネル組立体。
【請求項９】
前記係止突起は、前記外気導入パネルの内表面に突設された補強突起を更に含み、前記補強突起は前記位置制限突起及び前記外気導入パネルに連結され、及び／又は、
前記係止突起は、複数設けられる、請求項８に記載の外気導入パネル組立体。
【請求項１０】
前記係止突起は、２列設けられ、２列の前記係止突起は各々前記外気導入パネルの対向する両辺側に設けられる、請求項９に記載の外気導入パネル組立体。
【請求項１１】
前記ラッチ突起は、前記外気導入パネル組立体の長さ方向に延びている、請求項８に記載の外気導入パネル組立体。
【請求項１２】
前記外気導入パネルの内側面及び前記取付板の外表面のいずれか一方には後退防止突起が設けられ、他方には後退防止凹溝が設けられ、前記後退防止突起は前記後退防止凹溝に挿設される、請求項６に記載の外気導入パネル組立体。
【請求項１３】
前記後退防止突起は、前記外気導入パネルの内側面に設けられ、前記後退防止凹溝は前記取付板の外側面に設けられ、
前記取付板の外表面には、前記後退防止凹溝に隣接して設けられた位置合せ溝が更に設けられ、前記位置合せ溝は前記後退防止突起を前記後退防止凹溝に滑り込ませるように案内するために配置される、請求項１２に記載の外気導入パネル組立体。
【請求項１４】
前記位置合せ溝は、後退防止凹溝に隣接する案内内壁を備え、前記案内内壁は少なくとも一部が前記後退防止凹溝に近づく方向に斜めに配置され、及び／又は、
前記位置合せ溝の深さは、前記後退防止凹溝の深さより浅い、及び／又は、
前記後退防止突起は、前記位置合せ溝から離れた側に位置する案内外側面を備え、前記案内外側面は少なくとも一部が前記位置合せ溝に近づく方向に斜めに配置され、及び／又は、
前記後退防止突起は、長尺状である、請求項１３に記載の外気導入パネル組立体。
【請求項１５】
前記外気導入パネルの内側面には係止フックが設けられており、前記係止フックは前記外気導入パネルの内側面に突設された支持突起と、前記支持突起から横方向に突出した突起状ストッパーとを含み、前記支持突起と、前記突起状ストッパーと、前記外気導入パネルとで係止フック用溝が画定され、前記取付板は一側縁が前記係止フック用溝に係合される、請求項６に記載の外気導入パネル組立体。
【請求項１６】
前記突起状ストッパーの前記外気導入パネルの内側面に向いている側面には、脱落防止溝が設けられ、前記取付板の一側縁には脱落防止突起が設けられ、前記脱落防止突起は前記脱落防止溝内に設けられ、及び／又は、
前記係止フックは、前記取付板の一側縁の延在方向に複数設けられる、請求項１５に記載の外気導入パネル組立体。
【請求項１７】
前記係止フックは、前記外気導入パネルの一短辺に設けられる、請求項１５に記載の外気導入パネル組立体。
【請求項１８】
前記吹出し構造は、拡散吹出微細孔構造又は吹出グリル構造であり、及び／又は、
前記外気導入パネル組立体は、屈曲部材であり、及び／又は、
前記外気導入パネル及び前記取付板のいずれか一方には補強突起リブが設けられ、他方には補強用凹溝が設けられており、前記補強突起リブは前記補強用凹溝に設けられ、及び／又は、
前記外気導入パネルは、前記取付板の表面に向かって前記取付板の表面に沿って設置される、請求項１に記載の外気導入パネル組立体。
【請求項１９】
外気導入口が設けられた筐体と、
前記筐体に取り付けられた外気導入パネル組立体と、を備え、
前記外気導入パネル組立体は、外気導入パネルと取付板とを含み、前記外気導入パネルには吹出し構造が設けられ、前記外気導入パネルは前記取付板の表面に取り付けられ、前記取付板には前記取付板を貫通する通気口が設けられ、前記通気口は前記吹出し構造に対応して配置され、かつ前記通気口は前記外気導入口に対応して配置される、
空調室内機。
【請求項２０】
空調室外機と、前記空調室外機に接続された空調室内機と、を含み、
前記空調室内機は、外気導入口が設けられた筐体と、前記筐体に取り付けられた外気導入パネル組立体と、を含み、
前記外気導入パネル組立体は、外気導入パネルと取付板とを含み、前記外気導入パネルには吹出し構造が設けられ、前記外気導入パネルは前記取付板の表面に取り付けられ、前記取付板には前記取付板を貫通する通気口が設けられ、前記通気口は前記吹出し構造に対応して配置され、かつ前記通気口は前記外気導入口に対応して配置される、
空気調和機。
【発明の詳細な説明】
【技術分野】
【０００１】
［関連出願］
本願は、「空調室内機及び空気調和機」と題し、２０１９年３月３日に出願された、中国特許出願番号第２０１９２０２６７９００．０号及び中国特許出願番号第２０１９１０１５９４００．Ｘ号の優先権を主張し、その全内容は、引用により本明細書に組み込まれる。
【０００２】
本発明は、空調技術分野に関し、特に、外気導入パネル組立体、空調室内機及び空気調和機に関する。
【背景技術】
【０００３】
関連技術において、空調室内機は、外気導入モジュールを含み、外気導入モジュールは外気導入パネルを含み、外気導入パネルには吹出し構造が設けられる。具体的には、一体型パネルには外気導入モジュールの吹出用風路に対応する外気導入口を開設する必要があり、前記外気導入パネルは、一体型パネルに取り付けられ、かつ外気導入パネルにおける吹出し構造は外気導入口に対応して設けられている。
【０００４】
製造プロセスでは、外気導入パネル組立体のさまざまな部分に対し異なる工程処理を行う必要があり、例えば外気導入パネル組立体の内外表面には吹付塗装処理を施したり、外気導入パネル組立体の周縁には電気メッキを施したりすることで、さまざまな設計要件を満たす必要がある。ただし、外気導入パネルが一体成形部品であるため、外気導入パネルに対し異なる工程処理を行うのは、煩雑なだけでなく、処理を妨げ合う可能性もある。
【０００５】
注：上記の説明は、単に本出願に関連する背景情報を提供するものであり、必ずしも従来技術を構成するものではない。かつ幾つかの関連技術では、外気導入モジュールの吹出用風路に対応する吹出し構造が一体型パネルに直接設けられており、外気導入パネルが設けられていない。
【発明の概要】
【発明が解決しようとする課題】
【０００６】
本発明は、関連技術の一体に形成された外気導入パネルに対し異なる工程処理を行うことが困難であるという技術的課題を解決するために、外気導入パネル組立体を提供することを主な目的とする。
【課題を解決するための手段】
【０００７】
上記目的を達成するために、本発明は外気導入パネル組立体を提案し、前記外気導入パネル組立体は、
吹出し構造が設けられた外気導入パネルと、
表面に前記外気導入パネルが取り付けられる取付板と、を含み、前記取付板には、前記取付板を貫通する通気口が設けられ、前記通気口は前記吹出し構造に対応して配置される。
【０００８】
本発明は、空調室内機として提案され、前記空調室内機は、筐体と外気導入パネル組立体とを含み、前記筐体には外気導入口が設けられ、前記外気導入パネル組立体は前記筐体に設けられ、前記外気導入パネル組立体は外気導入パネルと取付板とを含み、前記外気導入パネルには吹出し構造が設けられ、前記外気導入パネルは前記取付板の表面に設けられ、前記取付板には前記取付板を貫通する通気口が設けられ、前記通気口は前記吹出し構造に対応して配置され、かつ前記通気口は前記外気導入口に対応して配置される。
【０００９】
本発明は、空調室外機と、空調室外機に接続された空調室内機とを含む空気調和機として提案される。前記空調室内機は、
外気導入口が設けられた筐体と、
前記筐体に取り付けられた外気導入パネル組立体と、を含み、
前記外気導入パネル組立体は、外気導入パネルと取付板とを含み、前記外気導入パネルには吹出し構造が設けられ、前記外気導入パネルは前記取付板の表面に取り付けられ、前記取付板には前記取付板を貫通する通気口が設けられ、前記通気口は前記吹出し構造に対応して配置され、かつ前記通気口は前記外気導入口に対応して配置される。
【発明の効果】
【００１０】
本発明は、外気導入パネル組立体、空調室内機及び空気調和機を開示する。前記外気導入パネル組立体は、吹出し構造が設けた外気導入パネルと、表面に前記外気導入パネルが取り付けられる取付板を含み、前記取付板には前記取付板を貫通する通気口が設けられ、前記通気口は前記吹出し構造に対応して配置される。このように、別個に組み立てる外気導入パネル及び取付板として外気導入パネル組立体を設けることにより、外気導入パネル及び取付板に対して別々に異なる工程処理を行うことができ、異なる設計要件を満たすと同時に、外気導入パネル組立体の加工プロセスをさらに簡素化することで生産効率を向上させることができる。
【００１１】
以下、本発明の実施形態又は従来技術の技術的手段を明確に説明するために、実施形態又は従来技術の描写中に使用する必要がある添付図面を簡単に説明する。以下に説明する図面は、本発明の幾つかの実施形態に過ぎず、当業者にとっては格別の創造工夫を要さずにそれら図面に示す構造に基づいてその他の図面を得ることができる。
【図面の簡単な説明】
【００１２】
【図１】本発明の一部実施形態に係る空調室内機の構造を示す模式図である。
【図２】図１の部位Ａの部分拡大図である。
【図３】図１の空調室内機の一体型パネルが開かれた状態の構造を示す模式図である。
【図４】図１の外気導入パネル組立体の構造を示す模式図である。
【図５】図４の外気導入パネル組立体の構造の立体分解図である。
【図６】図４の部位Ｂの係止突起と係止穴の組み付け過程の拡大図である。
【図７】図５の取付板の別の状態の構造を示す模式図である。
【図８】図７の部位Ｃの部分拡大図である。
【図９】図７の係止穴部位の部分拡大図である。
【図１０】図４の外気導入パネル組立体の上面図であり、外気導入パネルと取付板が完全に組み付けられていない状態を示す。
【図１１】外気導入パネル組立体の図１０のI−I線に沿った断面図である。
【図１２】図１１の部位Ｄの部分拡大図である。
【図１３】図１１の右側端の部分拡大図である。
【図１４】外気導入パネル組立体の別の状態の断面図であり、外気導入パネルと取付板が完全に組み付けられた状態を示す。
【図１５】図１４の部位Ｅの部分拡大図である。
【図１６】図１４の部位Ｆの部分拡大図である。
【図１７】本発明の実施例１に係る空調室内機の構造を示す模式図である。
【図１８】図１７の部位Ｇの部分拡大図である。
【図１９】図１７の外気導入パネル組立体の構造を示す模式図である。
【図２０】本発明の実施例２に係る空調室内機の構造を示す模式図である。
【図２１】図２０の部位Ｈの部分拡大図である。
【図２２】図２０の外気導入パネル組立体の構造を示す模式図である。
【図２３】図２２の取付板の部分的構造を示す模式図であり、第１磁気吸引部材の組み込み中の状態を示す。
【図２４】図１の一体型パネルの上面図である。
【図２５】一体型パネルの図２４のII−II線に沿った断面図である。
【図２６】図２５の部位Ｉの部分拡大図である。
【発明を実施するための形態】
【００１３】
本発明の目的の達成、機能・特徴及び利点について、図面を基に実施形態を組み合わせて更なる説明を行う。
【００１４】
以下、本発明の実施形態の図面を参照して、本発明の実施形態の技術的手段について、明確、完全に説明する。説明された実施形態は、すべての実施形態ではなく、僅か本発明の一部の実施形態であることは明らかである。
【００１５】
ここで言及すべき点は、本発明の実施形態において、用語「上」、「下」、「左」、「右」、「前」、「後」などが示した方位は、単に特定の姿勢（図面に示される通り）における各要素間の相対的な位置関係、運動状況等についての説明を容易にするために用いられ、図面に描かれている該特定の姿勢に変更があった場合、該方位も伴って変更される。
【００１６】
また、本明細書において使用されている「及び／又は」の意味には、３つの並行なスキームが含まれ、「A及び/又はB」を例に説明すると、Aスキームと、Bスキームと、AとBの両方を満たすスキームとが含まれる。また本発明の各実施形態の間の技術的手段は、相互に結合できるものとするが、当業者が実施できることを原則とする。技術的手段の結合に互に矛盾があった時或いは実現できない時、この種の技術的手段の結合が存在せず、本発明請求の保護範囲外とすることが認定されるべきである。
【００１７】
本発明は、空調室内機として提案される。図４に示すように、前記空調室内機は、外気導入モジュール４０を含み、前記外気導入モジュール４０が外気を室内に導入する（室内に外気を送る）ために用いられ、密閉された室内空間に継続して新鮮な空気を供給することで、室内空気の酸素濃度を増加させ、空調病を減らす。選択的に、前記外気導入モジュールは、室内の空気を排出するためにも用いることができる。
【００１８】
選択的に、前記外気導入モジュールは、室内機の筐体内に取り付けられた外気導入シェル（図示せず）と、外気導入シェル内に取り付けられた外気導入ファン組立体（図示せず）とを含み、前記外気導入シェルが外気導入吸込口と外気導入吹出口とを備え、前記外気導入吸込口が室外と連通され、前記外気導入吹出口が室内と連通され、前記外気導入吸込口と外気導入吹出口が連通し、前記外気導入ファン組立体が外気導入の流動の動力を提供するため、前記外気導入吸込口と外気導入吹出口の間に位置する。
【００１９】
前記空調室内機は、床置式又は天井吊式或いは壁掛式の空調室内機、若しくはタテ型壁掛式空調室内機などであることが理解できる。以下に壁掛式空調室内機を例として説明していくが、壁掛式空調室内機だけに限定されるものでない。
【００２０】
本発明の一実施形態では、図１乃至図３、図１７、図１８、図２０、及び図２１に示すように、前記空調室内機１００は、
外気導入口１１１が設けられた筐体１０と、吹出し構造２１１を備え、前記筐体１０に取り付けられ、前記吹出し構造２１１が外気導入口１１１に対応して設けられた外気導入パネル組立体２０と、を含む。
【００２１】
具体的には、前記外気導入口１１１は、外気導入の出口である。前記外気導入パネル組立体２０は、筐体１０に取り付けられ、外気導入口１１１に蓋設することができ、防塵を実現する。且つ、外気導入パネル組立体２０に外気導入口１１１と対応する吹出し構造２１１が設置されることで、導入した外気に対して処理を行い、利用者の様々なニーズも実現する。
【００２２】
具体的な実施形態では、図２に示すように、前記吹出し構造２１１は、拡散吹出微細孔構造、すなわち、前記外気導入パネル組立体２０に間隔を空けて配置された複数の拡散吹出微細孔（前記拡散吹出微細孔が外気導入パネル組立体２０を貫通している）でありうる。これによって、無風感冷房を実現できることでユーザーエクスペリエンスを向上することができる。或いは、前記吹出し構造２１１は、吹出グリル構造（図示せず）であってもよい。これによって、吹出しを実現すると共に、外気導入パネル組立体２０の製造難易度及び製造コストを更に低減できる。当然、実際のニーズに応じて前記吹出し構造２１１は、その他の構造形態として設けることもでき、ここではこれ以上説明しない。
【００２３】
具体的に言えば、前記筐体１０は、一体型パネル１１を含み、前記外気導入口１１１が一体型パネル１１に設けられ、前記外気導入パネル組立体２０が一体型パネル１１に取り付けられる。
【００２４】
本発明は、外気導入パネル組立体２０自体の構造形態及びその取付け方式をそれぞれ改善するが、当然、その２つの態様の改善を互いに結合することもできる。具体的に言えば、外気導入パネル組立体２０について、前記外気導入パネル組立体２０を一体成形構造として設置して、その構造を筐体１０に直接取り付けるか、或いは前記外気導入パネル組立体２０は別々に設けられる外気導入パネル２１と取付板２２とを含み、前記外気導入パネル２１が取付板２２に取り付けられ、前記取付板２２及び／或いは外気導入パネル２１が筐体１０に取り付けられる。外気導入パネル組立体２０の取付方法については、前記外気導入パネル組立体２０を前記外気導入口１１１に開閉可能に設置するか、又は、前記外気導入パネル組立体２０を前記外気導入口１１１に取り外し不能に蓋設することができる。以下では、個別に、または組み合わせて説明していく。
【００２５】
ここで言及すべき点は、前記外気導入パネル組立体２０は、矩形構造、正方形構造又は腰形構造などの規則的な形状構造として設置できるため、外気導入パネル組立体２０の設計、製造、及び組み付けを容易にすることができる。当然、前記外気導入パネル組立体２０は、不規則な形状の構造として設置することもできる。
【００２６】
外気導入パネル２１と取付板２２との間のスナップフィット構造の説明を容易にするために、以下に、外気導入パネル組立体２０を矩形構造又は略矩形構造として説明する。選択的に、下記における外気導入パネル２１及び取付板２２は、いずれも矩形構造或いは略矩形構造である。
【００２７】
以下に、「外気導入パネル組立体２０が別々に設けられた外気導入パネル２１と取付板２２とを含む」状況について具体的に説明する。
【００２８】
さらに、図４及び図５に示すように、前記外気導入パネル組立体２０は、前記吹出し構造２１１を設けた外気導入パネル２１と、取付板２２とを含む。前記外気導入パネル２１が取付板２２の表面に取り付けられ、前記取付板２２に取付板２２を貫通する通気口２２１が設けられ、前記通気口２２１が吹出し構造２１１に対応して配置される。前記通気口２２１は、外気導入を通過させることができるため、取付板２２の外気に対する影響を避けることができる。
【００２９】
製造プロセスでは、外気導入パネル組立体２０は初期製造段階の後（例えば離型後）、まだその外観は標準に達せず、製品に直接適用できない。したがって、設計要件を満たすため、外気導入パネル組立体２０のさまざまな部分に対し異なる工程処理を行う必要がある。例えば、外気導入パネル組立体２０の内外表面に吹付塗装処理を施し、その周縁に電気メッキ処理を施す必要がある。本発明では、別々に組み立てられた外気導入パネル２１及び取付板２２を設けることにより、外気導入パネル２１に吹付塗装処理を施し、取付板２２に電気メッキ処理を施すことができる。選択的に、前記外気導入パネル２１の表面に吹付塗装処理を施し、例えば外気導入パネル２１の表面にエレガンスゴールドを吹付塗装し、取付板２２の周縁に電気メッキ処理を施し、例えば取付板２２の周縁をモカゴールドの電気メッキで処理する。
【００３０】
本発明は、別々に連結して設けられる外気導入パネル２１と取付板２２とを含む外気導入パネル組立体２０として設けることにより、外気導入パネル２１及び取付板２２について各々異なる工程処理を施すことで、異なる設計要件を満たすと同時に、外気導入パネル組立体２０の加工プロセスを簡素化し、生産効率を向上させることができることを理解されたい。
【００３１】
ここで、言及すべき点は、別々に連結して設けられる外気導入パネル２１と取付板２２とを含む外気導入パネル組立体２０として設ける時、前記外気導入パネル組立体２０が前記外気導入口１１１に開閉可能に設置されてもよいし、また前記外気導入口１１１に取り外し不能(例えば溶接など)に蓋設することも可能である。
【００３２】
当然、その他の改善点では、前記外気導入パネル組立体２０は、一体に配置された構造として設けることもできる。
【００３３】
さらに、前記外気導入パネル２１は、取付板２２の表面に向かって取付板２２の表面に沿って設置される。これにより、外気導入パネル２１と取付板２２との間隙を非常に小さくし、更には間隙を無くすことで、風漏れによる異音の発生を防止できる。
【００３４】
さらに、図３乃至図５に示すように、前記外気導入パネル２１は、取付板２２の外表面に取り付けられている。前記取付板２２の外表面とは、取付板２２の筐体１０方向に向いた面とは反対側の表面を指し、反対に、前記取付板２２の内表面とは、取付板２２の筐体１０に向いた面を指す。同様に、前記外気導入パネル２１の外表面とは、外気導入パネル２１の筐体１０に向いた面と反対側の表面を指し、反対に、前記外気導入パネル２１の内表面とは、外気導入パネル２１の筐体１０に向いた表面を指す。
【００３５】
したがって、外気導入パネル２１を取付板２２の外表面に取り付けることにより、吹出し構造２１１を通気口２２１の外側に位置させることで、吹出し構造２１１が室内に空気を送り出すのを容易にする。
【００３６】
さらに、図４、図５及び図７に示すように、前記取付板２２は、基板２２２と、基板２２２の外表面に設けられた装飾側板２２３とを含み、前記通気口２２１が基板２２２に設けられ、前記外気導入パネル２１が基板２２２の外表面に設けられ、かつ前記外気導入パネル２１が装飾側板２２３の内側に位置する。装飾側板２２３の内側とは、装飾側板２２３における基板２２２の中心に向かう側を指す。
【００３７】
このように、取付板２２が基板２２２と、装飾板の外表面に設けられた装飾側板２２３とを含むことにより、前記基板２２２と装飾側板２２３との間で取付け空間を画定することができる。前記外気導入パネル２１を基板２２２の外表面に取り付け、かつ装飾側板２２３の内側に位置させ、外気導入パネル２１を前記取付け空間内に取り付けることで、外気導入パネル２１を保護することができる。
【００３８】
具体的には、前記装飾側板２２３は、基板２２２のエッジに設けられる。したがって、取付板２２のサイズを小さくすることに役立つ。
【００３９】
具体的には、前記外気導入パネル２１の側縁は、装飾側板２２３に近く又は隣接して配置される。このように、外気導入パネル２１と取付板２２との組み立てのコンパクト性を向上させることで、設計の合理性を向上させることができる、すなわち、外気導入パネル組立体２０の小型化、合理的な設計を実現することができる。
【００４０】
具体的には、装飾側板２２３に対し電気メッキ処理を施すことができる。このように、装飾側板２２３を設置することで、取付板２２の周縁に容易に電気メッキ処理を施すことができ、かつメッキ効果を容易に発揮させることができる。
【００４１】
さらに、図５に示すように、前記外気導入パネル２１と取付板２２は、スナップフィット構造により結合されている。一般に、スナップフィット構造は加工しやすく、かつ外気導入パネル組立体２０自体の構造を損傷させることがない。かつスナップフィット構造を設計することにより、各スナップフィット構造を互いに嵌合させ、目的の接続効果を簡単に達成できる。かつ、スナップフィット構造の組み立ては、簡単、便利で堅牢である。
【００４２】
以下、外気導入パネル２１と取付板２２との間のスナップフィット構造について詳細に説明する。外気導入パネル２１と取付板２２との間のスナップフィット構造は、これに限定されないことを理解されたい。
【００４３】
具体的には、図４乃至図６に示すように、前記外気導入パネル２１の内側面に係止突起２１２が設けられ、前記取付板２２に係止穴２２４が設けられ、前記係止突起２１２が前記係止穴２２４内に係合される。したがって、係止突起２１２と係止穴２２４の係合を通じて外気導入パネル２１と取付板２２に対し初期の取付け・位置決めを実現できる。
【００４４】
さらに、図５及び図６に示すように、前記係止突起２１２は、外気導入パネル２１の内表面に突設された連結突起２１２１と、連結突起２１２１から横方向に突設された位置制限突起２１２２とを含み、前記位置制限突起２１２２が外気導入パネル２１と対向して設けられ、前記連結突起２１２１、位置制限突起２１２２及び外気導入パネル２１の間でラッチ溝２１２３を画定する。図５、図６、及び図９に示すように、前記係止穴２２４の内側壁にラッチ突起２２４１が突設され、前記ラッチ突起２２４１と係止穴２２４の内側壁の間に取付隙間２２４２が形成され、前記ラッチ突起２２４１がラッチ溝２１２３に係合される。取付隙間２２４２は、係止突起２１２を通過させるために用いられる。
【００４５】
具体的には、前記ラッチ溝２１２３には、入口がある。図６に示すように、外気導入パネル２１と取付板２２を取り付ける時、先に前記係止突起２１２を係止穴２２４の取付隙間内に挿入してから外気導入パネル２１と取付板２２を動かして相対的に運動させ、ラッチ突起２２４１をラッチ溝２１２３の入口を経由してラッチ溝２１２３内に移動させる。この時、位置制限突起２１２２は、ラッチ突起２２４１の動きを制限することで、外気導入パネル２１と取付板２２を係合させることができる。
【００４６】
したがって、上記の構造的配置により、外気導入パネル２１と取付板２２を簡単かつ便利に接続することができる。
【００４７】
さらに、図６に示すように、前記係止突起２１２は、前記外気導入パネル２１の内表面に突設される補強突起２１２４を更に含み、前記補強突起２１２４が位置制限突起２１２２と外気導入パネル２１とを連結している。したがって、補強突起２１２４の設置を通じて、係止突起２１２の構造的強度を高めるできることで、外気導入パネル２１と取付板２２との結合強度及び安定性を増やすことができる。
【００４８】
さらに、図５及び図６に示すように、前記補強突起２１２４は、前記ラッチ突起２２４１の延在方向に設けられる。したがって、前記補強突起２１２４は、ラッチ突起２２４１の取り付けに対し位置決めの役目を果たすことができる。
【００４９】
さらに、図５及び図６に示すように、前記係止突起２１２は複数設けられ、前記係止穴２２４も複数の係止突起２１２に対応して複数設けられ、複数の係止突起２１２が複数の係止穴２２４内に各々対応して係合される。このように、外気導入パネル２１と取付板２２との結合強度及び安定性をさらに高めることができる。
【００５０】
さらに、前記係止突起２１２は規則的に配置してもよく、したがって、外気導入パネル２１の設計及び製造を容易にすることができる。
【００５１】
さらに、図５及び図６に示すように、前記係止突起２１２は、２列に設けられている。前記係止突起２１２の数が多いほど、外気導入パネル２１の製造難易度も相対的に大きくなることが分かる。したがって、２列の係止突起２１２の設置を通じて、外気導入パネル２１と取付板２２との結合強度及び安定性を確保できるし、無駄、製造難易度の増大を避けることもできる。当然、係止突起２１２はその他の規則的な配置で設計することもできる。
【００５２】
さらに、２列の前記係止突起２１２は、各々外気導入パネル２１の対向する両辺側に設けられる。このようにして、係止突起２１２が吹出し構造２１１などの他の構造と干渉することを防止することができること、それにより、外気導入パネル２１の小型化設計が容易になる。
【００５３】
具体的には、２列の前記係止突起２１２は、各々外気導入パネル２１の両長辺側に設けられる。同様に、前記係止穴２２４も２列に設けられており、各々取付板２２の両長辺側に配置される。このように、外気導入パネル組立体２０の長辺側に係止突起２１２と係止穴２２４のスナップフィット構造を設けることにより、外気導入パネル２１の長辺側と取付板２２の長辺側との結合強度及び安定性を容易に向上させることができることで、外気導入パネル２１と取付板２２との結合強度及び安定性を向上することに有利である。
【００５４】
複数の係止突起２１２によって画定されるラッチ溝２１２３の入口の向きは、組み立ての一貫性を確保するため、一致していなければならず、それにより、組み立てプロセスを簡素化することを理解されたい。
【００５５】
さらに、前記ラッチ突起２２４１は、外気導入パネル組立体２０の長さ方向に延びている。このようにして、外気導入パネル２１と取付板２２を外気導入パネル組立体２０の長さ方向に相対的に運動させると、ラッチ突起２２４１はラッチ溝２１２３の入口を経由してラッチ溝２１２３内に移動することができる。当然、ラッチ突起２２４１は、その他の方向に延伸することもできる。
【００５６】
さらに、図５乃至図８、及び図１１乃至図１６に示すように、前記外気導入パネル２１の内側面及び前記取付板２２の外表面のうちのいずれかに後退防止突起２１３が設けられ、他方に後退防止凹溝２２５が設けられ、前記後退防止突起２１３が後退防止凹溝２２５に挿設される。このように、互いに嵌合する後退防止突起２１３及び後退防止凹溝２２５を設けることにより、外気導入パネル２１と取付板２２とが反対方向に移動することを防止できることで、係止突起２１２が係止穴２２４から外れるのを防ぐことができる。
【００５７】
具体的な実施形態では、外気導入パネル２１及び取付板２２の厚さは、いずれも薄く、その上のスナップフィット構造等の部材の構造的強度も弱く、繰り返し取り外しすると破損しやすいことを理解されたい。したがって、外気導入パネル２１と取付板２２との間のスナップフィット構造が取り外しやすい構造として設計されている場合、利用者は取り外しの過程で外気導入パネル組立体２０を損傷させやすい。本発明では、後退防止突起２１３及び後退防止凹溝２２５を設けて組み合せて使用することにより、外気導入パネル２１と取付板２２との間のスナップフィット構造を取り外し困難又は取り外し不可能な構造にすることができ、したがって、外気導入パネル組立体２０の損傷リスクを軽減することができ、かつ誤って取り外されるのを防ぐことができる（すなわち、筐体１０から外気導入パネル組立体２０を取り外す時、外気導入パネル２１或いは取付板２２が誤って取り外されることを防止できる）。
【００５８】
具体的には、図５に示すように、前記後退防止突起２１３は、前記外気導入パネル２１の内側面に設けられ、前記後退防止凹溝２２５が前記取付板２２の外側面に設けられる。
【００５９】
さらに、図７、図８及び図１１乃至図１６に示すように、前記取付板２２の外表面には、後退防止凹溝２２５に隣接して設けられた位置合せ溝２２６が更に設けられ、前記位置合せ溝２２６は、後退防止突起２１３が後退防止凹溝２２５に滑り込むように案内するために用いられる。このようにして、外気導入パネル２１と取付板２２との間の取付け難易度を低減することができる。
【００６０】
外気導入パネル２１と取付板２２は、摺動可能に取り付けられているため、予備位置決め時（すなわち、係止突起２１２が係止穴２２４の取り付け隙間に挿入された時）、後退防止突起２１３と後退防止凹溝２２５の間にずれが存在し、位置合せ溝２２６が設けられていない場合、後退防止突起２１３が取付板２２の外表面に直接当接するため、外気導入パネル２１と取付板２２との取り付けが困難になる。
【００６１】
本発明は、位置合せ溝２２６を設けることにより、予備位置決め時（すなわち、係止突起２１２が係止穴２２４の取り付け隙間に挿入された時）、後退防止突起２１３が位置決め突起内に挿入されることで、外気導入パネル２１と取付板２２との予備的な位置合わせを容易にし、それにより外気導入パネル２１と取付板２２との間の取付け難易度を低減し、その後、外気導入パネル２１と取付板２２が相対的に運動する時、後退防止突起２１３は位置合せ溝２２６内から後退防止凹溝２２５に滑り込み、それにより、外気導入パネル２１と取付板２２との間の取付けを完了させることができる。
【００６２】
具体的な実施形態では、後退防止突起２１３が位置合せ溝２２６内から後退防止凹溝２２５に滑り込むよう誘導することを容易にするため、位置合せ溝２２６及び／又は後退防止突起２１３をさらに改善できる。以下に具体的に説明していく。
【００６３】
具体的には、図７、図８及び図１１乃至図１６に示すように、前記位置合せ溝２２６は、後退防止凹溝２２５に隣接する案内内壁２２６１を備え、前記案内内壁２２６１の少なくとも一部が後退防止凹溝２２５に近づく方向に斜めに配置される。したがって、後退防止突起２１３を位置合せ溝２２６内から後退防止凹溝２２５への滑り込むよう誘導することができる。
【００６４】
選択的に、前記案内内壁２２６１は、後退防止凹溝２２５に近づく方向に斜めに配置される。このようにして、誘導効果を高めることができる。
【００６５】
具体的には、後退防止凹溝２２５内に後退防止突起２１３が設けられると、前記後退防止突起２１３は位置合せ溝２２６から離れた側に位置する案内外側面（図示せず）を備え、前記案内外側面の少なくとも一部が位置合せ溝２２６に近づく方向に斜めに配置される。したがって、後退防止突起２１３が位置合せ溝２２６内から後退防止凹溝２２５に滑り込むよう誘導しやすくなる。
【００６６】
選択的に、前記案内外側面は、位置合せ溝２２６に近づく方向に斜めに配置される。このようにして、誘導効果を高めることができる。
【００６７】
具体的には、前記位置合せ溝２２６の深さは、前記後退防止凹溝２２５の深さより浅い。したがって、さらに後退防止突起２１３が位置合せ溝２２６内から後退防止凹溝２２５に滑り込むよう誘導しやすくなる。
【００６８】
さらに、図５及び図８に示すように、前記後退防止突起２１３は、長尺状であり、前記後退防止凹溝２２５と位置合せ溝２２６がいずれも対応して配置される。したがって、後退防止突起２１３の構造的強度を高めることができることで、外気導入パネル２１と取付板２２との間の結合強度を高めることができる。
【００６９】
具体的には、前記後退防止突起２１３の延在方向は、外気導入パネル２１及び取付板２２の取付け時の相対的な運動方向に対し角度をなしており、かつその角度が通常９０度、或いはほぼ９０度に設定される。このようにして、外気導入パネル２１及び取付板２２の取付け時の相対的な運動距離を短くすることができることで、組立プロセスを簡素化するだけでなく、小型化設計も達成できる。
【００７０】
選択的に、前記後退防止突起２１３は、外気導入パネル組立体２０の幅方向に延びている。
【００７１】
さらに、図４、図５及び図１０乃至図１６に示すように、前記外気導入パネル２１の内側面に係止フック２１４が設けられており、前記係止フック２１４は外気導入パネル２１の内側面に突設された支持突起２１４１と、支持突起２１４１から横方向に突出した突起状ストッパー２１４２とを含み、前記支持突起２１４１、突起状ストッパー２１４２及び外気導入パネル２１との間に、入口を備えた係止フック２１４溝を画定し、前記取付板２２の一側縁が係止フック２１４溝に係合される。このようにして、取付板２２の一側縁を係止フック２１４溝内に拘束することができることで、外気導入パネル２１と取付板２２との結合強度及び安定性を高めることができる。
【００７２】
具体的には、前記係止フック２１４は、外気導入パネル２１のエッジの近くに設けられるため、小型化設計を実現するのに有利である。
【００７３】
さらに、図１１、図１２、図１５及び図１６に示すように、前記突起状ストッパー２１４２の外気導入パネル２１の内側面に向く側面には脱落防止溝２１４２１が設けられ、前記取付板２２の一側縁に脱落防止突起２２７が設けられ、前記脱落防止突起２２７が前記脱落防止溝２１４２１内に設けられる。これにより、取付板２２の一側縁が係止フック２１４溝から外れることを防止できることで、取付板２２の一側縁と係止フック２１４溝の結合強度を高めることができる。
【００７４】
さらに、図４及び図５に示すように、前記係止フック２１４は、前記取付板２２の一側縁の延在方向に複数設けられる。このようにして、外気導入パネル２１と取付板２２との結合強度及び安定性をさらに高めることができる。
【００７５】
選択的に、前記係止フック２１４は、外気導入パネル２１の短辺に設けられる。このようにして、係止フック２１４と取付板２２の一側縁のスナップフィット構造は、係止突起２１２と係止穴２２４のスナップフィット構造とをよりよく連携させ、多点／多方向で外気導入パネル２１と取付板２２との結合を実現できることで、外気導入パネル２１と取付板２２との結合強度及び安定性を高めることができる。
【００７６】
さらに、前記外気導入パネル２１の内側面には、当接突起２１６が更に設けられており、前記当接突起２１６が係止突起２１２に隣接して配置され、前記取付板２２の一側縁が前記当接突起２１６に当接する。具体的には、前記当接突起２１６は、外気導入パネル２１の一方の短辺に設けられる。
【００７７】
具体的には、図４及び図５に示すように、前記後退防止突起２１３は、前記外気導入パネル２１の他方の短辺の近くに設けられる。
【００７８】
さらに、図５及び図７に示すように、前記外気導入パネル２１及び前記取付板２２のいずれかに補強突起リブ２１５が設けられ、他方には補強用凹溝２２８が設けられており、前記補強突起リブ２１５は補強用凹溝２２８内に設けられる。このようにして、外気導入パネル２１と取付板２２の構造的強度を別々に高めることができ、損傷のリスクを減らすことができる。
【００７９】
具体的には、図５及び図７に示すように、前記補強突起リブ２１５は、外気導入パネル２１の内表面に設けられ、前記補強用凹溝２２８が前記取付板２２の外表面に設けられる。
【００８０】
具体的には、図５及び図７に示すように、前記取付板２２は側部が内側に凹んで補強用凹溝２２８を形成している。
【００８１】
具体的には、図５及び図７に示すように、前記補強突起リブ２１５は、外気導入パネル２１の長さ方向に沿って延びてもよく、前記補強用凹溝２２８が取付板２２の長さ方向に沿って延びてもよい。選択的に、前記補強突起リブ２１５は、外気導入パネル２１の長さ方向上において間隔をおいて複数個設けられ、前記補強用凹溝２２８が取付板２２の長さ方向に間隔を空けて複数設けられる。このようにして、外気導入パネル２１及び取付板２２の構造的強度をさらに高めることができる。選択的に、前記補強突起リブ２１５は、外気導入パネル２１の長辺側の近くに配置され、前記補強用凹溝２２８が取付板２２の長辺側の近くに配置される。
【００８２】
上記の構造的配置により、外気導入パネル２１と取付板２２との間の結合を取り外し困難或いは取り外し不能にすることができることで、利用者が外気導入パネル組立体２０を損傷するリスクを軽減することができ、かつ誤って取り外されるのを防ぐことができることが特に強調されるべきである。
【００８３】
さらに、図４及び図５に示すように、前記外気導入パネル組立体２０は、屈曲部材であり、前記外気導入パネル２１が屈曲部材で、前記取付板２２も屈曲部材である。したがって、外気導入パネル組立体２０の形状は、空調室内機１００の外形に適合させることができる。また、外気導入パネル組立体２０は、屈曲部材として設けられることで、外気導入パネル組立体２０と筐体１０との間の結合強度も高めることができる。
【００８４】
当然、前記外気導入パネル組立体２０の長さが短い時、屈曲しない形状、すなわちほぼ平板状になるように設けてもよい。
【００８５】
以下に、「前記外気導入パネル組立体２０が前記外気導入口１１１に開閉可能に設置される」状況について具体的に説明していく。
【００８６】
さらに、図１７、図１８、図２０及び図２１に示すように、前記外気導入パネル組立体２０は、外気導入口１１１に開閉可能に設置される。
【００８７】
具体的には、前記外気導入パネル組立体２０は、少なくとも外気導入口１１１を覆う送風状態、及び外気導入口１１１を開く掃除状態を有する。前記送風状態にある時、前記吹出し構造２１１が外気導入口１１１に対応して、室内に空気を送り出し、前記掃除状態にある時、外気導入パネル組立体２０及び／或いは外気導入口１１１を掃除できる。
【００８８】
したがって、本発明の空調室内機１００は、外気導入パネル組立体２０を外気導入口１１１に開閉可能に設置することにより、外気導入パネル組立体２０を開いて外気導入パネル組立体２０を清掃することができることで、外気導入パネル組立体２０の掃除プロセスを簡素化でき、掃除効率を向上させることができる。
【００８９】
ここで言及すべき点は、前記外気導入パネル組立体２０が前記外気導入口１１１に開閉可能に設置された時、前記外気導入パネル組立体２０は一体に形成された構造であっても、別個に設けられた外気導入パネル２１と取付板２２を含むように構成されてもよい。
【００９０】
具体的な実施形態では、「前記外気導入パネル組立体２０が前記外気導入口１１１に開閉可能に設置される」ことを実現するための多くの構造形態について、以下に例を挙げて説明する。ただし、当業者は本発明で開示された内容に基づいて多くの実現形態を容易に想到できることに留意されたい。
【００９１】
さらに、図１７、図１８、図２０及び図２１に示すように、前記外気導入パネル組立体２０が外気導入口１１１に開閉可能に設置されるように、前記外気導入パネル組立体２０は筐体１０と着脱可能に結合される。具体的には、前記外気導入パネル組立体２０は、一体型パネル１１と着脱可能に結合される。
【００９２】
したがって、外気導入パネル組立体２０を筐体１０と着脱可能に結合することにより、掃除時、外気導入パネル組立体２０を筐体１０から外すことができ、外気導入パネル組立体２０と筐体１０を分離させることで、外気導入パネル組立体２０の掃除が位置の制限を受けないだけでなく、更に外気導入パネル組立体２０を掃除するための利用者の利便性及び安全性も高めることができる。さらに、外気導入パネル組立体２０が外気導入口１１１の掃除を妨げることがないため、外気導入口１１１の掃除の利便性を高めることができる。
【００９３】
具体的な実施形態では、外気導入パネル組立体２０と筐体１０の着脱可能な結合構造は、螺合構造、スナップフィット構造、磁気吸引構造などのうちの１つ又は複数を含むことができる。ここで、外気導入パネル組立体２０と筐体１０の着脱可能な結合は、スナップフィット構造によって実現されると、外気導入パネル組立体２０と筐体１０との間の結合を簡単かつ便利にすることができる。
【実施例１】
【００９４】
本発明の空調室内機１００の実施例１では、前記外気導入パネル組立体２０と筐体１０とは、スナップフィット構造によって結合され、以下に詳細に説明する。
【００９５】
さらに、図１７乃至図１９に示すように、前記外気導入パネル組立体２０の一端は、スナップフィット構造によって筐体１０に結合されている。具体的には、前記外気導入パネル組立体２０の一端は、スナップフィット構造によって一体型パネル１１に結合されている。したがって、外気導入パネル組立体２０の一端と筐体１０との結合を実現できる。
【００９６】
具体的には、図１８及び図１９に示すように、前記外気導入パネル組立体２０の一端に挿入舌部２２９が設けられ、前記筐体１０に挿嵌溝１１２が設けられ、前記挿入舌部２２９が挿嵌溝１１２内に挿着される。前記挿嵌溝１１２は、一体型パネル１１に設けられる。これにより、簡単な構造の挿入舌部２２９と挿嵌溝１１２の設置によって、外気導入パネル組立体２０の一端と筐体１０との結合を実現できることで、外気導入パネル組立体２０の構造が単純化され、かつ筐体１０との間の結合も簡単、便利にさせる。
【００９７】
具体的には、前記外気導入パネル組立体２０は、外気導入パネル２１と取付板２２とを含む時、選択的に、前記挿入舌部２２９が前記取付板２２に設けられる。
【００９８】
さらに、図１３、図１８及び図１９に示すように、前記挿入舌部２２９は、外気導入パネル組立体２０の内表面に設けられ、外気導入パネル組立体２０内表面に突設された舌根部２２９１と、舌根部２２９１に横方向に突設された挿着部２２９２とを含み、前記挿着部２２９２が外気導入パネル組立体２０の他端から離れる方向に向かって延びるように設けられ、前記挿嵌溝１１２の溝口周縁が挿着部２２９２と外気導入パネル２１との間に設けられる。具体的には、前記挿入舌部２２９は、取付板２２の内表面に設けられる。
【００９９】
前記筐体１０の筐体壁（すなわち、一体型パネル１１）は、一定の厚さを有し、挿嵌溝１１２を形成する箇所の筐体壁の厚さが薄い場合、挿着部２２９２を筐体壁の内側に挿設することで挿嵌溝１１２の開口周縁を挿着部２２９２と外気導入パネル２１との間に設けることができる。挿嵌溝１１２を形成する箇所の筐体壁の厚さが厚い場合、挿嵌溝１１２の側壁に収容凹みが係設され、挿嵌溝１１２の開口周縁が挿着部２２９２と外気導入パネル２１との間に設けられるように、前記挿着部２２９２を前記収容凹み内に挿設させることもできる。
【０１００】
したがって、挿入舌部２２９を外気導入パネル組立体２０の内表面に設けると共に挿入舌部２２９を挿嵌溝１１２内に完全に挿入することにより、挿入舌部２２９と挿嵌溝１１２の嵌合構造が外気導入パネル組立体２０と筐体１０との間の他の部位の嵌合に干渉するのを避けることができるため、外気導入パネル組立体２０と筐体１０との間の密封性を高めることで、異音及び結露の発生を防止することができる。また、挿入舌部２２９及び挿嵌溝１１２を隠すにも便利であり、その結果、塵埃が防止されるだけでなく、空調室内機１００の体裁も良くなる。
【０１０１】
さらに、図１７に示すように、前記挿入舌部２２９は、前記外気導入パネル組立体２０の下端に設けられる。このようにして、挿入舌部２２９を外気導入パネル組立体２０の自重作用で挿嵌溝１１２内に保持させることができるため、外気導入パネル組立体２０の取付けの安定性を高めることができる。外気導入パネル組立体２０の下端とは、壁掛式空調室内機が壁に取り付けられた時の下端を指す。
【０１０２】
さらに、図１８及び図１９に示すように、前記外気導入パネル組立体２０の他端は、スナップフィット構造により筐体１０に結合されている。前記外気導入パネル組立体２０の他端は、スナップフィット構造によって一体型パネル１１に結合されている。したがって、外気導入パネル組立体２０の他端は筐体１０と着脱可能に結合されることができる。
【０１０３】
具体的には、前記係合具２０３０が、外気導入パネル組立体２０の内側面に設けられる。
【０１０４】
さらに、図１８及び図１９に示すように、前記外気導入パネル組立体２０の他端には係合具２０３０が設けられ、前記筐体１０に係合穴（図示せず）が設けられ、前記係合具２０３０が係合穴内に係合される。具体的には、前記係合具２０３０は、取付板２２に設けられ、前記係合穴が一体型パネル１１に設けられる。
【０１０５】
具体的には、前記外気導入パネル組立体２０が屈曲部材である場合、選択的に、前記係合具２０３０は外気導入パネル組立体２０の屈曲部に設けられる。これにより、結合強度を向上させることができる。
【０１０６】
したがって、上記の構造により、前記外気導入パネル組立体２０の両端を筐体１０に各々結合することで、前記外気導入パネル組立体２０を筐体１０に係合させることができる。
【０１０７】
さらに、図１８及び図１９に示すように、前記外気導入パネル組立体２０と前記筐体１０との間に位置決めガイド構造が設けられ、前記位置決めガイド構造は、外気導入パネル組立体２０の位置決め、ガイドに用いられる。したがって、外気導入パネル組立体２０を取り付ける時、外気導入パネル組立体２０を容易に位置決めすることができることで、外気導入パネル組立体２０の取付け効率も高めることができる。
【０１０８】
具体的には、前記位置決めガイド構造は、前記外気導入パネル組立体２０の内表面と一体型パネル１１との間に設けられる。
【０１０９】
さらに、図１８及び図１９に示すように、前記外気導入パネル組立体２０の内表面と筐体１０の外表面のいずれか一方に位置決め突起１１３が設けられ、他方には位置決め溝２０３１が設けられている。このように、位置決めガイド構造は、操作が簡単で便利である。
【０１１０】
具体的には、前記位置決め突起１１３は、筐体１０に設けられ、前記位置決め溝２０３１が外気導入パネル組立体２０に設けられている。すなわち、前記位置決め突起１１３は、一体型パネル１１の外表面に設けられ、前記位置決め溝２０３１が取付板２２の内表面に設けられている。
【０１１１】
選択的に、前記位置決め突起１１３は柱状、例えば円柱状であり、前記位置決め溝２０３１は円形溝とすることができる。
【実施例２】
【０１１２】
本発明の空調室内機１００の実施例２では、前記外気導入パネル組立体２０と筐体１０が、スナップフィット構造に磁気吸引装置を組み合わせて結合されることについて、以下に詳細に説明する。
【０１１３】
さらに、図２０乃至図２３に示すように、前記外気導入パネル組立体２０の一端は、スナップフィット構造によって筐体１０に結合されている。具体的には、前記外気導入パネル組立体２０の一端は、スナップフィット構造によって一体型パネル１１に結合されている。したがって、外気導入パネル組立体２０の一端と筐体１０との結合を実現できる。
【０１１４】
具体的には、前記外気導入パネル組立体２０の一端と筐体１０との具体的な結合構造形態は、非常に多く、空調室内機１００の実施例１を参照することができるため、詳細はここでは説明しない。
【０１１５】
さらに、図２１乃至図２３に示すように、前記外気導入パネル組立体２０の他端は、磁気吸引装置により筐体１０に結合されている。具体的には、外気導入パネル組立体２０の他端は、磁気吸引装置によって一体型パネル１１に結合されている。したがって、外気導入パネル組立体２０の他端と筐体１０との間の結合をより簡単かつ便利にすることができる。
【０１１６】
さらに、図２２と図２３を参照すると、前記外気導入パネル組立体２０の内表面に第１磁気吸引部材３１が設けられ、前記筐体１０に第１磁気吸引部材３１に組み合せて使用される第２磁気吸引部材３２が設けられている。具体的には、前記第１磁気吸引部材３１は、取付板２２の内表面に設けられ、前記第２磁気吸引部材３２が一体型パネル１１に設けられている。
【０１１７】
選択的に、前記第１磁気吸引部材３１及び第２磁気吸引部材３２の少なくとも一方は、磁石（永久磁石）であり、これらの一方が磁石である場合、他方は鉄、ニッケル又はコバルトなどの金属部品とすることができる。一実施形態では、前記第１磁気吸引部材３１及び第２磁気吸引部材３２は、いずれも磁石（永久磁石）として設けられる。
【０１１８】
さらに、図２２及び図２３に示すように、前記外気導入パネル組立体２０の内表面にはマグネット用取付部が設けられており、前記第１磁気吸引部材３１は、マグネット用取付部に取り付けられている。具体的には、前記マグネット用取付部は、取付板２２の内表面に設けられている。
【０１１９】
さらに、図２２及び図２３に示すように、前記マグネット用取付部は、横方向に開口するマグネット用取付溝２０３２を含み、前記マグネット用取付溝２０３２の外気導入パネル組立体２０の内表面と対向する側壁にマグネット用貫通孔２０３３が開設され、前記マグネット用貫通孔２０３３が取付溝の外気導入パネル組立体２０の内表面に対向する側壁を貫通する。前記第１磁気吸引部材３１は、段付き構造であり、厚い部分と薄い部分とを含み、前記厚い部分がマグネット用取付溝２０３２内に取り付けられ、薄い部分がマグネット用貫通孔２０３３内に取り付けられる。
【０１２０】
さらに、図２２及び図２３に示すように、前記マグネット用取付部は、前記外気導入パネル組立体２０の内表面に設けられたマグネット凸部２０３４を更に含み、前記マグネット用取付溝２０３２、マグネット用貫通孔２０３３がいずれも前記マグネット凸部２０３４に設けられる。このようにして、マグネット用取付部の構造を簡素化することができる。
【０１２１】
具体的には、図２２及び図２３に示すように、前記マグネット凸部２０３４は、取付板２２の内表面に設けられる。
【０１２２】
具体的には、図２１に示すように、筐体１０上の前記第２磁気吸引部材３２の取付構造は、外気導入パネル組立体２０上の前記第１磁気吸引部材３１の取付構造と同様であり、詳細に説明する必要はない。また、適応的な変更を加えることもできることを理解されたい。
【０１２３】
言及すべき点は、第１磁気吸引部材３１と第２磁気吸引部材３２との間には吸引力があり、外気導入パネル組立体２０と筐体１０との間に自然の位置決め作用が働くことで、位置決めガイド構造を増設する必要がない。
【０１２４】
さらに、図１８及び図２０に示すように、前記筐体１０には収容凹溝１１４が設けられ、前記外気導入口１１１は、収容凹溝１１４の底部に設けられ、前記外気導入パネル組立体２０が収容凹溝１１４内に取り付けられる。したがって、外気導入パネル組立体２０を取り付けるため、収容凹溝１１４を設けることにより、外気導入パネル組立体２０を隠すことができることで、運搬中などに外気導入パネル組立体２０が衝撃を受けるリスクを軽減するだけでなく、外気導入パネル組立体２０の損傷も減らすことができ、かつ防塵も実現できる。
【０１２５】
具体的には、前記収容凹溝１１４は、一体型パネル１１に設けられる。
【０１２６】
具体的には、前記外気導入パネル組立体２０の外表面は、一体型パネル１１の外表面と面一であるか、又はほぼ面一であるか、又は滑らかに繋がっている。
【０１２７】
さらに、図３に示すように、前記筐体１０は内側に曲げられて前記収容凹溝１１４を形成する。このようにして、少なくとも筐体１０の構造的強度を高めることができる。
【０１２８】
具体的には、前記一体型パネル１１は内側に曲げられて収容凹溝１１４を形成する。
【０１２９】
具体的には、図１８及び図２０に示すように、前記外気導入口１１１、挿嵌溝１１２、及び位置決め突起１１３は、いずれも収容凹溝１１４の底部に設けられる。
【実施例３】
【０１３０】
その他の実施形態では、その他の構造形態を通じて「外気導入パネル組立体２０は、外気導入口１１１に開閉可能に設置される」ことを実現することもできる。具体的には、前記空調室内機１００の実施例３（図示せず）では、外気導入パネル組立体２０を外気導入口１１１に開閉可能に設置するため、前記外気導入パネル組立体２０と筐体１０が回動可能に結合される。ここで、前記外気導入パネル組立体２０は、一体型パネル１１に回動可能に結合されている。
【０１３１】
具体的には、前記外気導入パネル組立体２０の一側縁は、一体型パネル１１に回動可能に結合され、前記側縁が外気導入パネル組立体２０の第１側縁である。
【０１３２】
前記外気導入パネル組立体２０と一体型パネル１１の回動可能な結合構造は、当業者が容易に想到できるものであり、ここで詳述する必要はないことを理解されたい。
【０１３３】
具体的には、前記外気導入パネル組立体２０は、外気導入パネル組立体２０の第１側縁から離れた位置で筐体１０と着脱可能に結合されている。これにより、外気導入パネル組立体２０を固定することができる。
【０１３４】
さらに、前記外気導入パネル組立体２０の第２側縁は、筐体１０と着脱可能に結合され、かつ前記外気導入パネル組立体２０の第２側縁が外気導入パネル組立体２０の第１側縁と対向して設けられる。したがって、外気導入パネル組立体２０と筐体１０との間の結合構造を簡素化できるだけでなく、外気導入パネル組立体２０と筐体１０との間の結合安定性も向上させることができる。
【０１３５】
具体的に、前記外気導入パネル組立体２０と筐体１０との間の着脱可能な結合構造は、当業者が容易に想到できるものであり、ここで詳述する必要はない。
【０１３６】
選択的に、前記外気導入パネル組立体２０の第１側縁は、前記外気導入パネル組立体２０の上側縁、又は左側縁、或いは右側縁である。したがって、外気導入パネル組立体２０を開いた時、外気導入パネル組立体２０が自身の掃除を妨げることを防ぐことができる。当然、前記外気導入パネル組立体２０の第１側縁は、外気導入パネル組立体２０の下側縁でもあり得る。
【０１３７】
さらに、図２４乃至図２６に示すように、前記外気導入パネル組立体２０と筐体１０との間に密封構造が設けられ、前記密封構造は、外気導入パネル組立体２０と筐体１０との間の密封性を高めるために用いられる。このようにして、外気導入モジュール４０によって送り出される外気が、外気導入パネル組立体２０と筐体１０との間で漏れることを防止することができることで、外気導入吹き出し風量ロスを減少するだけでなく、空調室内機１００の換気能力を向上させると共に外気の漏れ時に発生する異音及び／又は結露を避けることができる。
【０１３８】
さらに、図２６に示すように、前記密封構造は、シールリング突起１１５とシールリング溝２０３５とを含み、前記シールリング突起１１５が環状に延びる突起であり、前記シールリング溝２０３５が環状に延びる凹溝である。具体的には、前記シールリング突起１１５とシールリング溝２０３５のうち一方は前記外気導入パネル組立体２０の内表面に設けられ、他方は前記筐体１０の外表面に設けられ、前記シールリング突起１１５が前記外気導入口１１１の外周側に設けられ、かつ前記シールリング突起１１５が前記シールリング溝２０３５内に設置されている。このようにして、外気導入パネル組立体２０と筐体１０との間の密封性を高めることができ、かつ密封構造の構造が簡単で、かつ組立にも便利である。
【０１３９】
具体的には、前記シールリング突起１１５は、筐体１０の外表面に設けられ、前記シールリング溝２０３５が外気導入パネル組立体２０の内表面に設けられる。前記シールリング突起１１５は、一体型パネル１１の表面に設けられ、前記シールリング溝２０３５が取付板２２の内表面に設けられている。
【０１４０】
さらに、前記シールリング突起１１５の末端は、前記シールリング溝２０３５の底部に当接する。このようにして、密封効果をさらに向上することができる。
【０１４１】
さらに、前記シールリング溝２０３５は、前記通気口２２１と横方向に連通している。  このようにして、密封効果をさらに向上することができる。
【０１４２】
当然、前記密封構造は他の構造形態で構成することもでき、ここではこれ以上説明しない。
【０１４３】
本発明は、空気調和機として更に提案される。前記空気調和機は、空調室外機（図示せず）と空調室内機とを含み、前記空調室内機が空調室外機に接続される。図１乃至図２６に示すように、前記空調室内機１００の具体的な構造は、上記実施形態を参照されたい。本発明の空気調和機は以上に述べた全ての実施形態の全技術的手段を採用するため、上記実施形態の技術的手段でもたらす全ての有利な効果を少なくとも持っているので、ここではこれ以上説明しない。
【０１４４】
選択的に、前記空調室内機１００と空調室外機は、冷媒管を通じて接続する。
【０１４５】
本発明では好ましい実施形態を前述の通り開示したが、これらは決して本発明を限定するものではなく、本発明の明細書及び添付図面を利用した均等の範囲内で各種の変更や修飾、若しくは直接的又は間接的なその他の関連の技術分野への応用は、本発明の特許保護範囲内に含めるものであるのは勿論である。
【符号の説明】
【０１４６】
１００  空調室内機
１０  筐体
１１  一体型パネル／パネル
１１１  外気導入口
１１２  挿嵌溝  
１１３  位置決め突起
１１４  収容凹溝
１１５  シールリング突起
２０  外気導入パネル組立体
２１  外気導入パネル
２１１  吹出し構造
２１２  係止突起
２１２１  連結突起
２１２２  位置制限突起
２１２３  ラッチ溝
２１２４  補強突起
２１３  後退防止突起
２１４  係止フック
２１４１  支持突起
２１４２  突起状ストッパー
２１４２１  脱落防止溝
２１４３  係止フック溝
２１５  補強突起リブ
２１６  当接突起
２２  取付板
２２１  通気口
２２２  基板
２２３  装飾側板
２２４  係止穴
２２４１  ラッチ突起
２２４２  取付隙間
２２５  後退防止凹溝
２２６  位置合せ溝
２２６１  案内内壁
２２７  脱落防止突起
２２８  補強用凹溝
２２９  挿入舌部
２２９１  舌根部
２２９２  挿着部
２０３０  係合具
２０３１  位置決め溝
２０３２  マグネット用取付溝
２０３３  マグネット用貫通孔
２０３４  マグネット凸部
２０３５  シールリング溝
３１  第１磁気吸引部材
３２  第２磁気吸引部材
４０  外気導入モジュール
【図１】
2021517629.tif 000003
【図２】
2021517629.tif 000004
【図３】
2021517629.tif 000005
【図４】
2021517629.tif 000006
【図５】
2021517629.tif 000007
【図６】
2021517629.tif 000008
【図７】
2021517629.tif 000009
【図８】
2021517629.tif 000010
【図９】
2021517629.tif 000011
【図１０】
2021517629.tif 000012
【図１１】
2021517629.tif 000013
【図１２】
2021517629.tif 000014
【図１３】
2021517629.tif 000015
【図１４】
2021517629.tif 000016
【図１５】
2021517629.tif 000017
【図１６】
2021517629.tif 000018
【図１７】
2021517629.tif 000019
【図１８】
2021517629.tif 000020
【図１９】
2021517629.tif 000021
【図２０】
2021517629.tif 000022
【図２１】
2021517629.tif 000023
【図２２】
2021517629.tif 000024
【図２３】
2021517629.tif 000025
【図２４】
2021517629.tif 000026
【図２５】
2021517629.tif 000027
【図２６】
2021517629.tif 000028
【国際調査報告】
2021517629.tif 000029
2021517629.tif 000030
2021517629.tif 000031
2021517629.tif 000032
2021517629.tif 000033
2021517629.tif 000034